(57)【要約】【課題】  電源コードの根元部に屈曲力が加わり難くすることによって製品寿命を延ばすことができる電気掃除機を提供する。【解決手段】  電気掃除機１０は、集塵室１６と、電動送風機１７とを備えた掃除機本体１と、掃除機用吸込具２とを備えており、掃除機本体１の本体ケース８は、外縁に曲面１４を有するものであって、電源コード１３の根元部１５の長手方向は、曲面１４の定点Ａの近傍から、定点Ａの接平面Ｂに対して平行に形成されている。【選択図】図３
2017093669.tif 000002
【特許請求の範囲】
【請求項１】
集塵室と、電動送風機とを備えた掃除機本体と、
掃除機用吸込具とを有する電気掃除機であって、
前記掃除機本体は、外縁に曲面を有するものであって、電源コードを備えており、該電源コードの根元部の長手方向は、前記曲面の定点の近傍から、該定点の接平面に対して平行に形成されていることを特徴とする電気掃除機。
【請求項２】
電源コードは、電源コード本体と、該電源コード本体の一方の端部に連続して形成され、該電源コード本体よりも断面の外周長が長いプロテクタとを有し、該プロテクタは、掃除機本体を平面視した場合の外形形状より内部に位置することを特徴とする請求項１に記載の電気掃除機。
【請求項３】
電源コードの根元部の長手方向は、掃除機本体の設置面に対して平行または設置面に近づくように形成されていることを特徴とする請求項１又は２に記載の電気掃除機。
【発明の詳細な説明】
【技術分野】
【０００１】
本発明は、集塵室と電動送風機とを備えた掃除機本体と、掃除機用吸込具とを有し、被清掃面に付着している塵埃等を吸引除去する為の電気掃除機に関するものである。
【背景技術】
【０００２】
従来から、電気掃除機本体の上部に使用者が把持する取っ手が形成されているハンディタイプの電気掃除機が知られている（特許文献１及び特許文献２）。これらのハンディタイプの電気掃除機は、電気掃除機本体の後部壁近傍に、電源コードの根元部が、該電源コードの延出方向が後部壁面に対して垂直方向となるようにして固定されている。
【先行技術文献】
【特許文献】
【０００３】
【特許文献１】実用新案登録第３１５８１７５号公報
【特許文献２】特開２０１５−１０９９４０号公報
【発明の概要】
【発明が解決しようとする課題】
【０００４】
したがって、上記特許文献１及び特許文献２に記載された電気掃除機は、使用者が電気掃除機本体の取っ手を把持しながら、進行方向を、前後方向に向けて掃除する場合には、電源コードの根元部は、引張力又は圧縮力が加わることとなる。一方、電気掃除機を左右に回転させて向きを変えながら掃除する場合には、電源コードの根元部には屈曲力が加わることとなる。この電源コードの根元部に加わる屈曲力は、使用回数が増すごとに、電源コードの表面に亀裂を生じさせると共に、断線の原因ともなるものであり、製品寿命を短くする一因となっていた。
【０００５】
本発明は、前記従来の課題を解決するものであり、電源コードの根元部に屈曲力が加わり難くすることによって製品寿命を延ばすことができる電気掃除機を提供することを目的とする。
【課題を解決するための手段】
【０００６】
前記従来の課題を解決するために、請求項１の発明は、集塵室と、電動送風機とを備えた掃除機本体と、掃除機用吸込具とを有する電気掃除機であって、前記掃除機本体は、外縁に曲面を有するものであって、電源コードを備えており、該電源コードの根元部は、前記曲面の定点の近傍から、該定点の接平面に対して平行に形成されていることを特徴としている。
【０００７】
本発明の電気掃除機は、電源コードの根元部の長手方向を、電気掃除機本体の外縁に形成されている曲面の定点の近傍から、該定点の接平面に対して平行に形成しているので、電気掃除機本体を回転させて向きを変える場合や回転させながら移動させた場合に、電源コードの根元部には引張力又は圧縮力が加わることとなり、電源コードの根元部に屈曲力が加わるのを防ぐことができる。これにより、電源コードの製品寿命を長く保つことができる。
【０００８】
請求項２の発明は、請求項１の発明において、電源コードは、電源コード本体と、該電源コード本体の一方の端部に連続して形成され、該電源コード本体よりも断面の外周長が長いプロテクタとを有し、該プロテクタは、掃除機本体を平面視した場合の外形形状より内部に位置することを特徴としている。したがって、電源コードの根元部をプロテクタにより保護すると共に、該プロテクタを掃除機本体から外部に突出させないことによって、電源コードの根元部に直接屈曲力が加わるのを防ぐことができる。
【０００９】
請求項３の発明は、請求項１又は２の発明において、電源コードの根元部の長手方向は、掃除機本体の設置面に対して平行または設置面に近づく方向に形成されていることを特徴としている。したがって、電源コードの根元部が設置面から遠ざかる方向に形成されているものと比較して、電源コードの根元部に自重による屈曲力が加わるのを防ぐことができる。
【発明の効果】
【００１０】
請求項１の発明は、電源コードの根元部に屈曲力が加わるのを防ぐことができ、電源コードの製品寿命を長く保つことができる。
【００１１】
請求項２の発明は、電源コードの根元部をプロテクタにより保護すると共に、該プロテクタを掃除機本体から外部に突出させないことによって、電源コードの根元部に直接屈曲力が加わるのを防ぐことができる。
【００１２】
請求項３の発明は、電源コードの根元部が設置面から遠ざかる方向に形成されているものと比較して、電源コードの根元部に自重による屈曲力が加わるのを防ぐことができる。
【図面の簡単な説明】
【００１３】
【図１】第一の実施形態の電気掃除機の全体を示す斜視図
【図２】第一の実施形態の電気掃除機の掃除機本体を示す正面図
【図３】図２のａ−ａ断面図
【図４】図３の一部拡大断面図
【図５】第二の実施形態の電気掃除機の掃除機本体を示す正面図
【発明を実施するための形態】
【００１４】
以下、本発明の第一の実施形態について、図面を参照しながら説明する。なお、この実施の形態によって本発明が限定されるものではない。
【００１５】
図１は、第一の実施形態の電気掃除機の全体を示す斜視図である。図１を用いて第一の実施形態の電気掃除機の概要について説明する。
【００１６】
本発明に係る電気掃除機１０は、主に、布団に付着したダニやほこり等を除去するために使用される電気掃除機であり、後述する集塵室と、電動送風機とを備えた掃除機本体１と、掃除機用吸込具２とを備えている。また、掃除機本体１と掃除機用吸込具２は、ホース３によって連結されている。したがって、床面に付着している塵埃等は、掃除機用吸込具２によって吸引され、ホース３内部を通過した後、掃除機本体１の集塵室へと収容される。
【００１７】
掃除機用吸込具２は、底面の前側に被清掃面から塵埃を吸引する幅広の吸込口を有し、回転清掃体が収納されている回転清掃体収納室（図示せず）と、該回転清掃体収納室に先端が連通する塵埃通路を有する幅広の上ケース４ａと下ケース４ｂで形成された略直方体状の吸込具ケース４と、この吸込具ケース４の後部両側から突出するように吸込具ケース４に回転自在に取り付けられた一対の走行車輪５ａ、５ｂと、ホース３の前端部３ａと連結する連結具６と、連結具６の側部に固定された操作用ハンドル７とを備えている。
【００１８】
掃除機本体１は、本体上ケース８ａと本体下ケース８ｂとで構成され、平面視が円形状であって側面が曲面にて形成されている本体ケース８と、本体ケース８に形成された連結口９と、本体上ケース８ａに固定されているアーチ状の取っ手１１と、本体下ケース８ｂに固定されている電源コード１３を備えており、連結口９には、ホース３の後端部３ｂが連結している。また、本体上ケース８ａには、電源スイッチ１２ａが設置されている。
【００１９】
前述したように、本発明に係る電気掃除機は、主に布団に付着したダニやほこり等を除去するために使用されるものであり、使用者は、一方の手で、掃除機本体１の取っ手１１を把持して布団上に掃除機本体１を載置した後、他方の手で、掃除機用吸込具２の操作用ハンドル７を把持して被掃除面である布団に掃除機用吸込具２の吸込口を当接することによって掃除が行われる。
【００２０】
上述のように、掃除機本体１は被掃除面である布団上に載置しておけばよいので、従来の掃除機のように車輪を底面に設ける必要はない。また、ホース３の長さも従来の掃除機のホースと比較して短くすることができる。さらに、掃除機本体１の向きを変えたい場合には、取っ手１１を把持し、平面視円形状の掃除機本体１の軸心を中心にして回転させればよいので、容易に掃除機本体１の向きを変えることができる。
【００２１】
図２は、第一の実施形態の電気掃除機の掃除機本体を示す正面図であり、図３は、図２のａ−ａ断面図、図４は、図３の一部拡大断面図である。これらの図を用いて本発明に係る電気掃除機の第一の実施形態の詳細について説明する。
【００２２】
前述したように、第一の実施形態の電気掃除機の掃除機本体１は、内部に集塵室１６と電動送風機１７とを備えている。また、電源コード１３は、電源コード本体１３ａと、この電源コード本体１３ａの一方の端部に連続して形成され、電源コード本体１３ａよりも断面の外周長が長いプロテクタ１９とを有しており、プロテクタ１９の一方の端部は、本体下ケース８ｂの取付部１８に固定されている。
【００２３】
そして、本体ケース８は、外縁に曲面１４を有するものであって、電源コード１３の根元部１５の長手方向は、曲面１４の定点Ａの近傍から、定点Ａの接平面Ｂ（一点鎖線で示す。）に対して平行に形成されている。尚、ここでの根元部１５とは、取付部１８の一端から延出するプロテクタ１９付近を指している（図３及び図４参照）。そして、電源コード１３の根元部１５の長手方向は、掃除機本体１の設置面Ｅ（図２参照、二点鎖線で示す。）に対して平行に形成されている。即ち、電源コード１３のプロテクタ１９は、設置面Ｅに対して平行となるように取付部１８に固定されている。
【００２４】
したがって、図３に示すように、掃除機本体１を、平面視円形状の掃除機本体１の軸心を中心にして、矢印Ｃの方向又は矢印Ｄの方向に回転させた場合には、電源コード１３の根元部１５には圧縮力又は引張力が加わることとなり、電源コード１３の根元部１５に屈曲力が加わるのを防ぐことができるのである。
【００２５】
プロテクタ１９は、掃除機本体１を平面視した場合の外形形状より内部に位置している。即ち、本体下ケース８ｂには、開口２０が形成されおり、この開口２０の内部にはプロテクタ収容部２１が形成されて、プロテクタ１９を収容しているので、プロテクタ１９は、掃除機本体１を平面視した場合の外形形状より内部に位置していることとなるのである。
【００２６】
したがって、電源コード１３の根元部１５をプロテクタ１９により保護すると共に、プロテクタ１９を掃除機本体１から外部に突出させないことによって、電源コード１３の根元部１５に直接屈曲力が加わるのを防ぐことができるのである。
【００２７】
図５は、第二の実施形態の電気掃除機の掃除機本体を示す正面図である。第二の実施形態では、掃除機本体１ａの電源コード２２の根元部２３の長手方向は、掃除機本体１ａの設置面Ｅに近づく方向に形成されている。即ち、電源コード２２のプロテクタ２４は、設置面Ｅに近づくように取付部に固定されている。
【００２８】
したがって、従来の電気掃除機において、電源コードの根元部が設置面から遠ざかる方向に形成されているものと比較した場合には、第二の実施形態の電気掃除機は、電源コード２２の根元部２３に自重による屈曲力が加わるのを防ぐことができるのである。
【産業上の利用可能性】
【００２９】
本発明に係る電気掃除機は、集塵室と電動送風機とを備えた掃除機本体と、掃除機用吸込具とを有し、被清掃面に付着している塵埃等を吸引する為の電気掃除機として利用される。
【符号の説明】
【００３０】
１、１ａ  掃除機本体
２  掃除機用吸込具
３  ホース
３ａ  前端部
３ｂ  後端部
４  吸込具ケース
４ａ  上ケース
４ｂ  下ケース
５ａ、５ｂ  走行車輪
６  連結具
７  操作用ハンドル
８  本体ケース
８ａ  本体上ケース
８ｂ  本体下ケース
９  連結口
１０  電気掃除機
１１  取っ手
１２ａ  電源スイッチ
１３、２２  電源コード
１３ａ  電源コード本体
１４  曲面
１５、２３  根元部
１６  集塵室
１７  電動送風機
１８  取付部
１９、２４  プロテクタ
２０  開口
２１  プロテクタ収容部
Ａ  定点
Ｂ  接平面
Ｃ、Ｄ  矢印
Ｅ  設置面
【図１】
2017093669.tif 000003
【図２】
2017093669.tif 000004
【図３】
2017093669.tif 000005
【図４】
2017093669.tif 000006
【図５】
2017093669.tif 000007